(57)【要約】【課題】天板付き什器の保管スペースを抑える。【解決手段】天板付き什器は、水平方向に互いに離間して床面上に設置され、それぞれ自立可能な支持体２０Ａ，３０と、支持体２０Ａ，３０に支持されるとともに、支持体２０Ａ，３０に着脱可能とされた天板４０と、を有している。そして、天板付き什器の不使用時に、一のキャビネットユニット３０上に他のキャビネットユニット３０を積層して保管する。【選択図】図４
2016083292.tif 000002
【特許請求の範囲】
【請求項１】
互いに離間して床面上に設置され、それぞれ自立可能な複数の支持体と、複数の前記支持体に支持されるとともに、前記支持体に着脱可能とされた天板と、を有した天板付き什器であって、
前記天板付き什器の不使用時に、一の前記支持体上に他の前記支持体を積層して保管する保管手段を備えることを特徴とする天板付き什器。
【請求項２】
前記保管手段は、
他の前記支持体の下面に、下方に向けて突出し、床面に接する脚部材と、
一の前記支持体の上面に形成され、他の前記支持体の前記脚部材を収容する凹部と、を有することを特徴とする請求項１に記載の天板付き什器。
【請求項３】
一の前記支持体および他の前記支持体は箱状をなし、物品を収容可能な収容部を有したキャビネットユニットであることを特徴とする請求項１または２に記載の天板付き什器。
【請求項４】
一の前記支持体および他の前記支持体は、平面視Ｌ字状をなした支持脚ユニットであることを特徴とする請求項１または２に記載の天板付き什器。
【請求項５】
前記天板に設けられたブラケットと、
一の前記支持体の上端部に設けられた受けブラケットと、を備え、
前記天板付き什器の使用時に、一の前記支持体上に前記天板が支持された状態で、前記ブラケットと前記受けブラケットとが互いに連結可能であることを特徴とする請求項１から４のいずれか一項に記載の天板付き什器。
【請求項６】
他の前記支持体の下端部にジョイントブラケットが設けられ、
前記天板付き什器の不使用時に、一の前記支持体と他の前記支持体とを上下に積層した状態で前記受けブラケットと前記ジョイントブラケットとが互いに連結可能であることを特徴とする請求項５に記載の天板付き什器。
【請求項７】
請求項１から６のいずれか一項に記載の天板付き什器を複数備え、
一の天板付き什器の前記支持体上に、前記一の天板付き什器の他の前記支持体または他の天板付き什器の前記支持体を積層してなる積層体を、水平方向に複数近接させて配置し、
複数の前記積層体上に、複数の前記天板を上下方向に積層して保管可能であることを特徴とする天板付き什器システム。
【発明の詳細な説明】
【技術分野】
【０００１】
本発明は、オフィスや店舗、公共施設等の室内空間に設置された天板付き什器および天板付き什器システムに関する。
【背景技術】
【０００２】
オフィスや店舗、公共施設等の室内空間においては、デスクやテーブル、カウンター等の天板付き什器が設置されている。一般に、天板付き什器は、平板状の天板と、天板を安定的に支持する複数の支持体と、を備えている。
【０００３】
特許文献１には、支持体として、平面視Ｌ字状の脚体と袖キャビネットとを有し、これら脚体および袖キャビネット上に天板を設けた構成の机が開示されている。この構成で脚体および袖キャビネットと天板とは、ボルト、ナット等により強固に一体化されている。
【先行技術文献】
【特許文献】
【０００４】
【特許文献１】特許第２８２２３１０号公報
【発明の概要】
【発明が解決しようとする課題】
【０００５】
ところで、天板付き什器を配置した室内空間においては、天板付き什器のレイアウトを変更したい場合がある。そのような場合に、天板付き什器の位置を単に移動するだけではなく、使用しない天板付き什器を撤去する場合もある。
撤去した天板付き什器を保管するには、少なくとも各天板付き什器の天板の大きさに応じた床面積が必要である。複数の天板付き什器を保管する場合には、天板どうしを突き合わせて保管に必要なスペースをなるべく小さくしようとしても、多大なスペースが必要であることに変わりはない。
そこでなされた本発明の目的は、天板付き什器の保管スペースを抑えることのできる天板付き什器および天板付き什器システムを提供することである。
【課題を解決するための手段】
【０００６】
本発明は、上記課題を解決するため、以下の手段を採用する。
この発明に係る天板付き什器は、互いに離間して床面上に設置され、それぞれ自立可能な複数の支持体と、複数の前記支持体に支持されるとともに、前記支持体に着脱可能とされた天板と、を有した天板付き什器であって、前記天板付き什器の不使用時に、一の前記支持体上に他の前記支持体を積層して保管する保管手段を備えることを特徴とする。
【０００７】
このような構成によれば、天板付き什器の不使用時には、天板付き什器を構成する複数の支持体を天板から取り外し、これら複数の支持体を上下に積層して保管することで、天板付き什器の保管に必要なスペースが小さくて済む。
【０００８】
また、前記保管手段は、他の前記支持体の下面に、下方に向けて突出し、床面に接する脚部材と、一の前記支持体の上面に形成され、他の前記支持体の前記脚部材を収容する凹部と、を有していてもよい。
これにより、支持体を床面で走行移動可能とするためのキャスターや、支持体を床面に接地させる脚、支持体の高さを調整するアジャスター等の脚部材を支持体の下面に備える場合、支持体の下面から脚部材が突出する。そこで、支持体の上面に凹部を形成しておくことで、上段側の他の支持体の脚部材を凹部内に収容する。すると、下段側の一の支持体と上段側の他の支持体とが上下に直接積層されて安定する。
【０００９】
また、一の前記支持体および他の前記支持体は箱状をなし、物品を収容可能な収容部を有したキャビネットユニットであるようにしてもよい。
このように、一つの天板付き什器が複数のキャビネットユニットを備える場合や、支持体としてキャビネットユニットを備える複数の天板付き什器を保管する場合、キャビネットユニットどうしを積層することで、保管スペースを小さく抑えることができる。
【００１０】
また、一の前記支持体および他の前記支持体は、平面視Ｌ字状をなした支持脚ユニットであるようにしてもよい。
これにより、平面視Ｌ字状の支持脚ユニットどうしを積層することでも保管スペースを小さく抑えることができる。
【００１１】
また、前記天板に設けられたブラケットと、前記支持体の上端部に設けられた受けブラケットと、を備え、前記天板付き什器の使用時に、前記支持体上に前記天板が支持された状態で、前記ブラケットと前記受けブラケットとが互いに連結可能であるようにしてもよい。
これにより、天板付き什器の使用時においては、天板と支持体とを、ブラケットと受けブラケットとを介して連結することができる。
【００１２】
さらに、他の前記支持体の下端部にジョイントブラケットが設けられ、前記天板付き什器の不使用時に、一の前記支持体と他の前記支持体とを上下に積層した状態で、前記受けブラケットと前記ジョイントブラケットとが互いに連結可能であるようにしてもよい。
このようにして、天板との連結に用いた支持体のブラケットを、上段側に積層した他の支持体に設けられたジョイントブラケットとの連結にも用いることができる。これにより、上下に積層した支持体どうしを確実に連結することができる。
【００１３】
また、この発明に係る天板付き什器システムは、上記のいずれか一に記載の天板付き什器を複数備え、一の天板付き什器の前記支持体上に、前記一の天板付き什器の他の前記支持体または他の天板付き什器の前記支持体を積層してなる積層体を、水平方向に複数近接させて配置し、複数の前記積層体上に、複数の前記天板を上下方向に積層して保管可能であることを特徴とする。
このように、支持体を積層してなる積層体を、水平方向に複数組近接させて配置した場合、複数組の積層体上を、天板を積層して保管するスペースとして利用することができる。これによって、天板を保管するためだけのスペースが床面上に不要となり、保管スペースを小さく抑えることができる。
【発明の効果】
【００１４】
この発明に係る天板付き什器および天板付き什器システムによれば、天板付き什器の保管スペースを抑えることが可能となる。
【図面の簡単な説明】
【００１５】
【図１】この発明の実施形態に係る天板付き什器システムを構成する天板付き什器の全体構成を示す斜視図である。
【図２】（ａ）は上記天板付き什器を後方から見た斜視図、（ｂ）は天板の後端部に設けたブラケットおよびキャビネットユニットに設けた受けブラケットを示す斜視図である。
【図３】キャビネットユニットの構成を示す図であり、２つのキャビネットユニットどうしを上下に積層する状態を示す斜視図である。
【図４】複数台の天板付き什器の保管状態を示す斜視図である。
【図５】集積したキャビネットユニットを後方から見た斜視図である。
【図６】（ａ）はブラケットによる天板どうしの積層構造を示す斜視図であり、（ｂ）は集積したキャビネットユニットの後方においてブラケットにハンドルを装着する状態を示す斜視図である。
【図７】本実施形態の第１変形例を示す図であって、ブラケットを利用して上下のキャビネットユニットどうしを連結する構成を示す斜視図である。
【図８】本実施形態の第２変形例を示す図であって、支持脚ユニットどうしを上下に積層する構成を示す斜視図である。
【図９】（ａ）は上下に積層する支持脚ユニットどうしを支持脚ユニットの一方の側から見た斜視図、（ｂ）は上下に積層する支持脚ユニットどうしを支持脚ユニットの他方の側から見た斜視図である。
【図１０】複数台の天板付き什器の保管状態の他の例を示す斜視図である。
【発明を実施するための形態】
【００１６】
以下、添付図面を参照して、本発明による天板付き什器システムを実施するための形態を説明する。しかし、本発明はこれらの実施形態のみに限定されるものではない。
【００１７】
図１は、この発明の実施形態に係る天板付き什器システムを構成する天板付き什器の全体構成を示す斜視図である。図２の（ａ）は上記天板付き什器を後方から見た斜視図、（ｂ）は天板の後端部に設けたブラケットおよびキャビネットユニットに設けた受けブラケットを示す斜視図である。図３は、キャビネットユニットの構成を示す図であり、２つのキャビネットユニットどうしを上下に積層する状態を示す斜視図である。
以下の説明において、天板付き什器１０に使用者が対向した状態で、使用者側を向く方向を「前方」、その反対方向を「後方」、とする。
図１に示すように、天板付き什器システムを構成する天板付き什器１０は、いわゆるデスクであり、水平方向に互いに離間して床面上に設置される支持脚ユニット（支持体）２０Ａおよびキャビネットユニット（支持体）３０と、支持脚ユニット２０Ａおよびキャビネットユニット３０上に支持された天板４０と、を備えている。
【００１８】
図２（ａ）に示すように、支持脚ユニット２０Ａは、平面視して、天板４０の後端部４０ｂに沿って天板４０の幅方向に延びる後部支持部２６と、天板４０の一方の側端部４０ｓに沿って天板４０の前後方向に延びる側部支持部２７と、を備えている。この支持脚ユニット２０Ａは、平面視Ｌ字状に形成されて水平面内に位置する上部部材２１と、上部部材２１の鉛直下方に上部部材２１と並行に配置されて平面視Ｌ字状に形成された下部部材２２と、鉛直方向に延在して上部部材２１と下部部材２２とを接続する複数本の支柱２３と、を一体に備えている。
支持脚ユニット２０Ａは、下部部材２２の底面に複数のキャスター２４を備えている。
このようにして、支持脚ユニット２０Ａは、床面上で自立可能であるとともに床面上で走行移動可能とされている。
【００１９】
キャビネットユニット３０は、床面上に自立可能で、直方体状をなしたキャビネット本体３１と、キャビネット本体３１の前面３１ｆに形成された不図示の開口部に対して前後方向にスライドして出没可能とされ、物品を収容可能な引き出し（収容部）３２と、を備えている。
キャビネット本体３１の底面の四隅にはそれぞれキャスター（脚部材）３３が設けられている。これらキャスター３３により、キャビネットユニット３０は床面上で移動自在とされている。
【００２０】
図３に示すように、キャビネット本体３１は、その上面に上方に開口した凹部３５を備えている。凹部３５の四方は、キャビネット本体３１の前後面を形成する前部プレート３５ｆおよび後部プレート３５ｂと、キャビネット本体３１の幅方向両側の側面を形成する側部プレート３５ｓ，３５ｓによって囲まれている。
【００２１】
また、キャビネット本体３１の凹部３５内には、両側の側部プレート３５ｓ，３５ｓどうしを結ぶバー３６が、前後方向に間隔をあけて２本設けられている。これらのバー３６は、キャビネットユニット３０を持ち上げるときの持ち手として機能する。
【００２２】
このようなキャビネットユニット３０のキャビネット本体３１上には、他のキャビネットユニット３０を載置できるようになっている。そして、上段側のキャビネットユニット３０のキャスター３３は、下段側のキャビネットユニット３０の凹部３５内に収容されるようになっている。これによって、上段側のキャビネットユニット３０のキャビネット本体３１の底面３１ｔは、下段側のキャビネットユニット３０のキャビネット本体３１の前部プレート３５ｆ、後部プレート３５ｂ、側部プレート３５ｓ、３５ｓの上端部に直接突き当たって支持される。
キャスター３３と、キャビネットユニット３０の凹部３５とにより、保管手段が構成されている。
【００２３】
また、キャビネットユニット３０の前側に設けられたキャスター３３は、キャビネット本体３１の前部プレート３５ｆと前側のバー３６との間に配置される。また、キャビネットユニット３０の後側に設けられたキャスター３３は、キャビネット本体３１の後部プレート３５ｂと後側のバー３６との間に配置される。これによって、上段側のキャビネットユニット３０の前側のキャスター３３は前部プレート３５ｆと前側のバー３６との間で前後方向の移動が規制されるとともに、上段側のキャビネットユニット３０の後側のキャスター３３は後部プレート３５ｂと後側のバー３６との間で前後方向の移動が規制される。よって、上段側のキャビネットユニット３０は、下段側のキャビネットユニット３０に対して前後方向の移動が規制された状態で支持される。
【００２４】
図２（ａ）に示すように、天板４０は、平面視長方形状をなし、その長手方向を天板付き什器１０の幅方向に一致させて配置されている。そして、天板４０の幅方向一方の側に支持脚ユニット２０Ａが配置され、他方の側にキャビネットユニット３０が配置されている。このような天板４０は、支持脚ユニット２０Ａおよびキャビネットユニット３０に対し、ボルト等、適宜の係止部材によって係止されている。
【００２５】
図２（ｂ）に示すように、天板４０の後端部４０ｂには、天板４０の幅方向両側に、それぞれブラケット部材（ブラケット）５０が設けられている。
ブラケット部材５０は、天板４０の後端部４０ｂから前方に向けて凹んで形成された凹部（図示無し）に装着されている。ブラケット部材５０は、平面視すると、天板４０の後端部４０ｂから前方に向かって開口幅が漸次拡大する平面視台形状で、上下に連続する係合凹部５１が形成されている。また、係合凹部５１には、天板４０の上面４０ｆから一定寸法下方位置に、係合凹部５１の内方に向けて突出する段部５２が、係合凹部５１の周方向に連続して形成されている。さらに、ブラケット部材５０は、段部５２の内周縁部から連続して下方に延びるスカート部５３を備えている。スカート部５３は、その外周面５３ｆが、平面視すると、天板４０の後端部４０ｂから前方に向かって開口幅が漸次拡大する平面視台形状で、係合凹部５１の開口寸法よりもわずかに小さい外形寸法を有している。
【００２６】
そして、支持脚ユニット２０Ａの後部支持部２６を構成する上部部材２１と、キャビネットユニット３０のキャビネット本体３１の後部プレート３５ｂには、それぞれ、上端部に、後方に向けて突出する受けブラケット６０が設けられている。受けブラケット６０は、平面視すると、後方から前方に向かって開口幅が漸次縮小する平面視台形状で、上下に連続する係合凹部６１が形成されている。この係合凹部６１は、その内周面６１ｆが、ブラケット部材５０のスカート部５３の外周面５３ｆの外形寸法よりもわずかに大きい外形寸法を有している。
また、受けブラケット６０の後端には、係合凹部６１の両側で上方に向かって延びる一対の爪６２が形成されている。
【００２７】
天板４０を支持脚ユニット２０Ａおよびキャビネットユニット３０上に取り付けた状態で、天板４０の後端部４０ｂに設けられた各ブラケット部材５０のスカート部５３は、支持脚ユニット２０Ａおよびキャビネットユニット３０に設けられた受けブラケット６０の係合凹部６１に対し、上方から挿入されて嵌合されている。また、天板４０の後端部４０ｂは、受けブラケット６０の爪６２に前方から突き当たることで、天板４０の後方への移動が規制されている。
【００２８】
図２（ａ）に示すように、このようにして嵌合したブラケット部材５０と受けブラケット６０には、後方からこれらブラケット部材５０と受けブラケット６０とをクランプするクランプカバー７０が装着されている。クランプカバー７０は、ブラケット部材５０の上面に沿う上部プレート部７１と、受けブラケット６０の下面に沿う下部プレート部７２と、これら上部プレート部７１と下部プレート部７２とを連結する連結プレート部７３と、を一体に備えている。このクランプカバー７０により、ブラケット部材５０と受けブラケット６０とが上下方向に離間することが拘束される。
また、クランプカバー７０を装着した状態で、連結プレート部７３は、ブラケット部材５０の係合凹部５１の後方を向く開口部分を覆う。また、上部プレート部７１の前端部、下部プレート部７２の前端部には、後方に向けて凹む凹部７５が形成されている。この凹部７５により、クランプカバー７０を装着した状態で、上部プレート部７１、下部プレート部７２と、ブラケット部材５０の係合凹部５１の内周面５１ｆとの間には、上下に貫通した空間が形成され、配線などを天板４０の上下に挿通させることができる。
【００２９】
このような天板付き什器１０を使用しない場合には、天板４０を、支持脚ユニット２０Ａおよびキャビネットユニット３０から取り外す。これには、天板４０の後端部４０ｂでクランプカバー７０を取り外すとともに、天板４０と支持脚ユニット２０Ａおよびキャビネットユニット３０とを連結するボルト等を取り外す。
すると、天板付き什器１０は、支持脚ユニット２０Ａと、キャビネットユニット３０と、天板４０とに分解される。
【００３０】
図４は、複数台の天板付き什器の保管状態を示す斜視図である。図５は、集積したキャビネットユニットを後方から見た斜視図である。図６は、（ａ）はブラケットによる天板どうしの積層構造を示す斜視図であり、（ｂ）は集積したキャビネットユニットの後方においてブラケットにハンドルを装着する状態を示す斜視図である。
図４に示すように、上記と同様にして複数台の天板付き什器１０を分解したら、複数台分の支持脚ユニット２０Ａ、キャビネットユニット３０をそれぞれ集積する。
平面視Ｌ字状の支持脚ユニット２０Ａは、平面視した状態で同じ向きとなるように向きを揃え、水平方向に互いに近接させて集合させる。
【００３１】
図３に示すように、複数台分のキャビネットユニット３０は、２台一組として、キャビネットユニット３０，３０を上下に積み重ねる。このとき、上段側のキャビネットユニット３０のキャスター３３は、下段側のキャビネットユニット３０の凹部３５内に収容する。
図４に示すように、このようにして２台一組で上下に積み重ねたキャビネットユニット３０からなる積層体Ａを構成する。そして、このような積層体Ａを、複数組集め、幅方向に沿って互いに近接させて並べる。
【００３２】
さらに、集積した複数組の積層体Ａ上に、複数台分の天板４０を上下方向に積層して載置する。
このとき、図６（ａ）に示すように、互いに上下に位置する２枚の天板４０どうしは、下段側の天板４０に設けられたブラケット部材５０の係合凹部５１に、上段側の天板４０に設けられたブラケット部材５０のスカート部５３が挿入される。これにより、係合凹部５１とスカート部５３とが、上下の天板４０を互いに位置決めするとともに、天板４０を積み重ねる際のガイドとして機能する。
そして、最下段の天板４０は、ブラケット部材５０のスカート部５３が、その下方に位置する上段側のキャビネットユニット３０に設けられた受けブラケット６０の係合凹部６１に上方から挿入されて嵌合されている。
このようにして、上下方向に積層した複数枚の天板４０が水平方向に互いにずれてしまうのを防ぐ。
【００３３】
また、図５に示すように、複数台を上下方向および幅方向に集積させたキャビネットユニット３０は、その後面側に、これらを移動させるためのハンドル８０を装着することもできる。ハンドル８０は、例えば平面視ロ字状のハンドル本体８１と、ハンドル本体８１の前端部に設けられた連結部８２と、を備えている。
図６（ｂ）に示すように、連結部８２は、キャビネットユニット３０の後部プレート３５ｂに設けられ、後方に向けて突出する受けブラケット６０に対応する位置に形成されている。連結部８２は、受けブラケット６０の係合凹部６１に嵌合するよう、前方に向かってその幅が漸次拡大するコ字状に形成されている。
ハンドル８０は、各連結部８２を、それぞれの受けブラケット６０の係合凹部６１に上方から挿入して嵌合させることによって装着される。これにより、作業者は、ハンドル８０のハンドル本体８１を保持して、集積させたキャビネットユニット３０および天板４０を任意の位置に容易に移動させることができる。
【００３４】
このようにして、複数台の天板付き什器１０を構成する支持脚ユニット２０Ａ、キャビネットユニット３０，および天板４０をまとめて集積することができる。これにより、複数台の天板付き什器１０は、保管に必要なスペースが小さくなる。
【００３５】
上述したような天板付き什器１０によれば、天板付き什器１０の不使用時には、天板付き什器１０を構成する支持脚ユニット２０Ａ，キャビネットユニット３０を天板４０から取り外す。そして、複数台の天板付き什器１０を構成するキャビネットユニット３０どうしを上下に積層して保管するようにした。これにより、天板付き什器１０の保管スペースを抑えることが可能となる。
【００３６】
また、キャビネットユニット３０の下面に、下方に向けて突出し、床面に接するキャスター３３を備えるとともに、キャビネットユニット３０の上面に、積層したときに上段側となる他のキャビネットユニット３０のキャスター３３を収容する凹部３５を形成した。
これにより、キャビネットユニット３０どうしを上下に積層したときに、下段側のキャビネットユニット３０と上段側のキャビネットユニット３０のキャビネット本体３１とが上下に直接積層される。これによって、キャビネットユニット３０どうしを安定して積層することができる。
【００３７】
さらに、キャビネットユニット３０どうしを積層してなる積層体Ａを、水平方向に複数組近接させて配置し、複数組の積層体Ａ上に、複数台の天板付き什器１０を構成する複数の天板４０を上下方向に積層して保管するようにした。これにより、天板４０を保管するためだけのスペースが床面上に不要となり、保管スペースを小さく抑えることができる。
【００３８】
加えて、天板４０にブラケット部材５０を設け、支持脚ユニット２０Ａ，キャビネットユニット３０の上端部に受けブラケット６０を設けるようにした。そして、天板付き什器１０の使用時に、支持脚ユニット２０Ａ，キャビネットユニット３０上に天板４０が支持された状態で、ブラケット部材５０と受けブラケット６０とが互いに連結可能であるようにした。
これにより、天板付き什器１０の使用時においては、天板４０と支持脚ユニット２０Ａ，キャビネットユニット３０とを、ブラケット部材５０と受けブラケット６０とを介して互いに位置決めして連結することができる。
【００３９】
（実施形態の第１変形例）
なお、上記実施形態において、天板付き什器１０を構成する支持脚ユニット２０Ａ、キャビネットユニット３０、天板４０は、他のいかなる構成であってもよい。
図７は、本実施形態の第１変形例を示す図であって、ブラケットを利用して上下のキャビネットユニットどうしを連結する構成を示す斜視図である。
例えば、図７に示すように、キャビネットユニット３０の後部プレート３１ｂの下端部に、後方に向けて突出する連結プレート（ジョイントブラケット）９０を設けてもよい。連結プレート９０は、後方に向けて延びる一対のプレート部９１，９１を備え、平面視で受けブラケット６０と対応した形状を有している。そして、２台のキャビネットユニット３０を上下に積層したときに、下段側のキャビネットユニット３０の受けブラケット６０に、上段側のキャビネットユニット３０の連結プレート９０を重ね合わせ、これらをボルト等によって一体に連結するようにしても良い。
【００４０】
このようにして、天板４０との連結に用いたキャビネットユニット３０のブラケット部材５０を、積層した他のキャビネットユニット３０との連結にも用いることができる。これにより、上下に積層したキャビネットユニット３０どうしを確実に連結することができる。
【００４１】
（実施形態の第２変形例）
また、上記実施形態では、複数の支持脚ユニット２０Ａを水平方向に近接させて保管するようにしたが、これに限らない。
図８は、本実施形態の第２変形例を示す図であって、支持脚ユニットどうしを上下に積層する構成を示す斜視図である。図９は、（ａ）は上下に積層する支持脚ユニットどうしを支持脚ユニットの一方の側から見た斜視図、（ｂ）は上下に積層する支持脚ユニットどうしを支持脚ユニットの他方の側から見た斜視図である。
例えば、図８に示すように、２台の支持脚ユニット（支持体）２０Ｂを上下に積層してもよい。
【００４２】
図９（ａ），（ｂ）に示すように、支持脚ユニット２０Ｂの上部部材２１の上面には、上方に開口した凹部２５が形成されている。他の支持脚ユニット２０Ｂを上部部材２１上に載置したときに、上段側の支持脚ユニット２０Ｂのキャスター２４が凹部２５内に収容できるようになっている。
ここで、上部部材２１が上方に向けて開口した断面コ字状をなしている場合、上部部材２１の内部に、下方に向けて開口した断面逆Ｕ字状の補強部材２８を設け、補強部材２８の両端部に隣接して凹部２５を形成してもよい。この補強部材２８により、凹部２５の周囲における上部部材２１の強度を高めることができる。また、凹部２５内で、補強部材２８とは異なる部分にキャスター２４を挿入するため、キャスター２４を凹部２５に挿入した後は、補強部材２８がキャスター２４の位置ズレ止めとして機能する。
【００４３】
さらに、平面視Ｌ字状の上部部材２１において、一方の側面２１ｓに、係止ピン１００を設け、他方の側面２１ｔに係止ピン１００が係止されるピン係合孔１０１を設けてもよい。
係止ピン１００は、いわゆる段付きネジからなり、その一端側に形成された雄ネジ部（図示無し）と、他端側に形成され、雄ネジ部（図示無し）よりも外径が大きい頭部１００ｂと、雄ネジ部（図示無し）と頭部１００ｂとの間に形成され、雄ネジ部（図示無し）よりも外径が大きく、頭部１００ｂよりも外径が小さい段部１００ｃと、を一体に備えている。このような係止ピン１００は、雄ネジ部を上部部材２１に形成された雌ネジ穴（図示無し）に、段部１００ｃが支持脚ユニット２０Ｂの表面に突きあたるまでねじ込まれている。
【００４４】
また、ピン係合孔１０１は、上下方向に長く、上端側に、係止ピン１００の頭部１００ｂよりも内径が大きい大径部１０１ａが形成されている。ピン係合孔１０１は、下端側に、大径部１０１ａから連続して、頭部１００ｂの外径よりも内径が小さく、かつ段部１００ｃの外径よりも内径が大きい溝部１０１ｂが形成されている。
【００４５】
支持脚ユニット２０Ｂどうしを水平方向に近接させたときに、一方の支持脚ユニット２０Ｂのピン係合孔１０１に、他方の支持脚ユニット２０Ｂの係止ピン１００を係合させる。これには、ピン係合孔１０１に対し、係止ピン１００の頭部１００ｂを大径部１０１ａに貫通させ、段部１００ｃを大径部１０１ａの内方に位置させる。そして、支持脚ユニット２０Ｂどうしをスライドさせる。すると、係止ピン１００の段部１００ｃがピン係合孔１０１の溝部１０１ｂ内に挿入される。これによって水平方向に近接させた支持脚ユニット２０Ｂどうしを、係止ピン１００を介し互いに連結することができる。
【００４６】
このような構成によれば、複数の支持脚ユニット２０Ｂどうしを、上下に積み重ねることによって、支持脚ユニット２０Ｂの保管スペースを抑えることができる。
また、水平方向で互いに近接する支持脚ユニット２０Ｂ，２０Ｂどうしは、係止ピン１００およびピン係合孔１０１によって、強固に連結されている。
【００４７】
上述したように、平面視Ｌ字状の支持脚ユニット２０Ｂどうしを積層することで、保管スペースをさらに小さく抑えることができる。
さらに、水平方向で互いに近接する支持脚ユニット２０Ｂ，２０Ｂどうしを連結することによって、複数の支持脚ユニット２０Ｂを安定して集積させることができる。
【００４８】
（その他の実施形態）
なお、本発明の天板付き什器システムは、図面を参照して説明した上述の各実施形態およびその変形例に限定されるものではなく、その技術的範囲において様々な変形例が考えられる。
例えば、上記実施形態および変形例では、キャビネットユニット３０を上下に積層するようにしたが、図１０に示すように、キャビネットユニット３０上に支持脚ユニット２０Ａ，２０Ｂを積層してもよい。この場合、支持脚ユニット２０Ａのキャスター２４を、下段側のキャビネットユニット３０の凹部３５内に収容する。
【００４９】
また、キャビネットユニット３０を上下２段に積層するようにしたが、３段以上に積層することも可能である。
さらに、上記実施形態では、脚部材としてキャスター３３を備えるようにしたが、これに限るものではない。脚部材として、支持脚ユニット２０Ａ，キャビネットユニット３０を床面に接地させる脚、支持脚ユニット２０Ａ，キャビネットユニット３０の高さを調整するアジャスター等のキャスター３３を支持脚ユニット２０Ａ，キャビネットユニット３０の下面に備えるようにしてもよい。
【００５０】
また、天板４０と、支持脚ユニット２０Ａ、２０Ｂおよびキャビネットユニット３０とは、着脱可能であれば、いかなる手段で連結してもよい。
また、天板付き什器１０は、上記実施形態で示したようなデスク、テーブルに限らず、カウンター装置等、他の用途であってもよい。
これ以外にも、本発明の主旨を逸脱しない限り、上記実施の形態で挙げた構成を取捨選択したり、他の構成に適宜変更したりすることが可能である。
【符号の説明】
【００５１】
１０    天板付き什器
２０Ａ，２０Ｂ    支持脚ユニット（支持体）
３０    キャビネットユニット（支持体）
３２    引き出し（収容部）
３３    キャスター（脚部材）
３５    凹部
５０    ブラケット部材（ブラケット）
６０    受けブラケット
９０    連結プレート（ジョイントブラケット）
【図１】
2016083292.tif 000003
【図２】
2016083292.tif 000004
【図３】
2016083292.tif 000005
【図４】
2016083292.tif 000006
【図５】
2016083292.tif 000007
【図６】
2016083292.tif 000008
【図７】
2016083292.tif 000009
【図８】
2016083292.tif 000010
【図９】
2016083292.tif 000011
【図１０】
2016083292.tif 000012